(57)【要約】    【課題】  従来のように露光ヘッドによる露光位置に印画紙を搬入・搬出するための搬送機構を退避させずとも露光ヘッドからの出射光の光量を測定することが出来る画像処理装置を提供することにある。  【解決手段】  感光材料に画像を焼き付けるためのライン状の露光ヘッドと、露光ヘッドによる露光位置に感光材料を搬入・搬出するための搬送機構と、露光ヘッドからの出射光の光量を測定するための光量測定装置とを備えた画像処理装置において、光量測定装置の測定部から光ファイバーを伸ばして、この光ファイバーの先端に光の入射部を設けると共に、この入射部を露光ヘッドに沿って移動させて、露光ヘッドからの出射光を光ファイバーを介して光量測定装置の測定部に導入するようにした。  【選択図】  図４
2005262534.tif 000002
【特許請求の範囲】
【請求項１】
感光材料に画像を焼き付けるためのライン状の露光ヘッドと、露光ヘッドによる露光位置に感光材料を搬入・搬出するための搬送機構と、露光ヘッドからの出射光の光量を測定するための光量測定装置とを備えた画像処理装置において、光量測定装置の測定部から光ファイバーを伸ばして、この光ファイバーの先端に光の入射部を設けると共に、この入射部を露光ヘッドに沿って移動させて、露光ヘッドからの出射光を光ファイバーを介して光量測定装置の測定部に導入するようにしていることを特徴とする画像処理装置。
【発明の詳細な説明】
【技術分野】
【０００１】
本発明は、主として印画紙に画像をライン状に焼き付けるためのライン状のライン露光ヘッドと、ライン露光ヘッドにより露光される露光位置に印画紙を搬入・搬出するための搬送機構と、ライン露光ヘッドからの出射光の光量を測定するための光量測定装置とを備えた画像処理装置に関する。
【背景技術】
【０００２】
一般に、この種の画像処理装置により画像を感光材料の一例である印画紙に焼き付けるにあたっては、印画紙を搬送機構により搬送しながら露光装置で画像をライン状に１ドットずつ露光するようにして画像の焼付けを行うようにしているのであって、前述の露光装置としては、例えば、印画紙の搬送方向と直交する方向に延びるＰＬＺＴシャッター方式のライン露光ヘッドを備えたものがあり、このライン状のライン露光ヘッドによる露光処理は、印画紙を１ドットずつ搬送しながら露光を行なうようにしている。
【０００３】
また搬送機構は、駆動モータで回転駆動される駆動ローラーと、この駆動ローラーに弾性的に圧接する圧接ローラーとからなる搬送ローラー対が主として搭載され、この搬送機構を機体に組み付けるようになっている。
【０００４】
ところで、前述の露光装置によりライン露光を行う場合、ライン露光ヘッドにおける出射光の光量は均一となることが好ましく、そのため、ライン露光ヘッドからの出射光の光量を測定するための光量測定装置をライン露光ヘッドに沿って移動させて出射光の光量を測定する必要があるが、光量測定装置は比較的大型であり、またライン露光ヘッドの露光位置は、印画紙の搬送面と同一面上に位置し、通常、この露光位置には前記した印画紙の搬送機構が組み込まれていることから、光量測定装置をライン露光ヘッドに沿って移動させてライン露光ヘッドの光量を測定するためには、搬送機構が障害となる。
【０００５】
そのため従来では、ライン露光ヘッドによる露光位置に印画紙を搬入・搬出するための搬送機構をライン露光ヘッドに対して近接する搬送位置とライン露光ヘッドから離間する退避位置とに移動可能とすると共に、ライン露光ヘッドからの出射光の光量を測定するための光量測定装置を、ライン露光ヘッドが搬送位置にあるとき露光位置搬送ユニットと干渉しない非干渉位置に位置し、露光位置搬送ユニットが退避位置に位置したときライン露光ヘッドと対向する光量測定位置に位置しながらライン方向に移動できるように構成した画像処理装置が開発されている。（特許文献１参照）
【特許文献１】特開２００２−９９０４８号  しかしながら以上の画像処理装置のように、搬送機構をライン露光ヘッドに対して近接する搬送位置とライン露光ヘッドから離間する退避位置とに移動可能にすると、搬送機構が振動し易くなって、プリントの画像にバンディング（仕上がりプリントに縞状のノイズが生じた状態）が生じたり、あるいは露光位置における印画紙とライン露光ヘッドとの間隔が不均一となることに起因する画像光のユニフォーミテイの低下などの問題が生じ易くなる。
【０００６】
また前述の画像処理装置では、搬送機構移動させるための装置を付加しなければならず、それだけ全体の重量が重くなるし、コストアップを招く。
【発明の開示】
【発明が解決しようとする課題】
【０００７】
本発明は以上の実情に鑑みて開発したものであって、目的とするところは、従来のようにライン露光ヘッドによる露光位置に印画紙を搬入・搬出するための搬送機構を退避させずともライン露光ヘッドからの出射光の光量を測定することが出来る画像処理装置を提供することにある。
【課題を解決するための手段】
【０００８】
以上の目的を達成するために、請求項１に記載の発明は、感光材料に画像を焼き付けるためのライン状のライン露光ヘッドと、ライン露光ヘッドによる露光位置に感光材料を搬入・搬出するための搬送機構と、ライン露光ヘッドからの出射光の光量を測定するための光量測定装置とを備えた画像処理装置において、光量測定装置の測定部から光ファイバーを伸ばして、この光ファイバーの先端に光の入射部を設けると共に、この入射部をライン露光ヘッドに沿って移動させて、ライン露光ヘッドからの出射光を光ファイバーを介して光量測定装置の測定部に導入するようにしていることを特徴とするものである。
【０００９】
本発明の画像処理装置では、光量測定装置から伸びる光ファイバーの先端に設けた入射部により、ライン露光ヘッドからの出射光の光量を測定するようにしてので、狭いスペースでもライン露光ヘッドに沿って入射部を移動させることが出来る。
【発明の効果】
【００１０】
請求項１に記載の発明によれば、狭いスペースでもライン露光ヘッドに沿って入射部を移動させることが出来るので、従来のように搬送機構をライン露光ヘッドに対して近接乃至離間方向に移動させる必要がなくなり、バンディングの発生や画像光のユニフォーミテイの低下などが解消されるし、また搬送機構を移動させるための機構が不要となるので、全体の重量も軽く出来て、コストダウンが図れる。
【発明を実施するための最良の形態】
【００１１】
図１に示す画像処理装置は、感光材料である印画紙Ｐに画像を焼き付けるためのものであって、機体１に、２つのペーパーマガジン２ａ・２ｂと、ＰＬＺＴシャッター方式による露光装置３と、印字装置４と、印画紙Ｐを搬送するための感光材料搬送装置５とが搭載されている。
【００１２】
感光材料搬送装置５は、駆動モータの回転駆動により回転する駆動ローラー５１及び駆動ローラー５１に圧接する圧接ローラー５２から構成される搬送ローラ対５３と、搬送ベルト５４とが備えられ、印画紙Ｐは、この感光材料搬送装置５の搬送ローラ対５３及び搬送ベルト５４を介して印画紙Ｐを搬送するようにしている。
【００１３】
また以上の以上の感光材料搬送装置５の搬送経路中には、ペーパーマガジン２ａ・２ｂから引き出された印画紙Ｐを所定の長さにカットするためのカッター５５と、このカッター５５でカットされた印画紙Ｐを二列に振り分けるための振り分け機構５６と、前述の露光装置３及び印字装置４とが設けられ、カッター５５でカットされた印画紙Ｐを振り分け機構５６で２列に振り分けた後、これら印画紙Ｐに露光装置で画像を焼き付るとともに印字装置４により印字処理をしながら、現像処理装置（図示せず）に向けて搬送するようにしている。
【００１４】
また、以上の画像処理装置は、コンピュータにより構成されるコントローラー６（制御手段）が備えられ、このコントローラー６の制御により、各種構成機器の駆動制御が行なわれるようにしている。
【００１５】
露光装置３は、光源３１と、印画紙Ｐの搬送方向と直交する方向に設けられたＰＬＺＴシャッター方式のライン露光ヘッド３２と、光源３１とライン露光ヘッド３２との間の光路に配設される光質変調フィルター（図示せず）とから構成され、ライン露光ヘッド３２は、光ファイバー束（図示せず）を介して光源３１に接続されている。
【００１６】
なお、露光装置３は、ＰＬＺＴシャッター方式に限らず、例えば液晶シャッター方式のものでもよい。
【００１７】
また以上の画像処理装置における露光装置３の露光部位には、感光材料搬送装置５の一部を構成する露光位置用搬送機構７が設けられている。
【００１８】
この露光位置用搬送機構７は、露光部入口側に設ける露光用第１搬送ローラー対７ａと出口側に設ける露光用第２搬送ローラー対７ｂとが備えられ、この露光位置搬送機構７を介して、印画紙Ｐをライン露光ヘッド３２による露光位置に搬入すると共に露光位置から搬出するようにしているのであって、露光装置３による露光は、露光用第１搬送ローラー対７ａと露光用第２搬送ローラー対７ｂとの間で行なわれるようにしている。
【００１９】
前述の露光用第１搬送ローラー対７ａ及び露光用第２搬送ローラー対７ｂも、駆動ローラー７１とこの駆動ローラー７１に圧接する圧接ローラー７２とから構成されている。
【００２０】
尚、図中７３は、印画紙Ｐをガイドするためのガイドプレートである。
【００２１】
以上の画像処理装置は、感光材料搬送装置５の駆動により、ペーパーマガジン２ａ，２ｂから搬送されてくる印画紙Ｐが、カッター５５でカットされた後、振り分け機構５６を介して露光装置３に送られ、露光装置３に送られた印画紙Ｐは、露光位置用搬送機構７の露光用第１搬送ローラー対７ａと露光用第２搬送ローラー対７ｂとにより、ライン露光ヘッド３２に対して１ドット列ずつ移送されながらライン露光された後、印字装置４で各種データが印字される。
【００２２】
また以上の画像処理装置には、ライン露光ヘッド３２からの出射光の光量を測定するための光量測定装置８が搭載されているのであって、図に示す実施形態では光量測定装置８を構成するフォトマル８１を露光装置３の外側部に設置して、このフォトマル８１の測定部８２に光ファイバー８３の長さ方向一端部を接続すると共に、光ファイバー８３の長さ方向他端には、レンズが組み込まれた光入力部８４を設けている。
【００２３】
そして、前述の光入力部８４を移動装置９を介してライン露光ヘッド３２に沿って移動させるようにして、ライン露光ヘッド３２からの出射光を光入力部８４及び光ファイバー８３を介してフォトマル８１の測定部に導入するようにしている。
【００２４】
移動装置９は、図３及び図４に概略的に示すように、露光位置用搬送機構７の露光用第１搬送ローラー対７ａと露光用第２搬送ローラー対７ｂとの間においてライン露光ヘッド３２に対し平行に配置されるボールネジ９１を備え、このボールネジ９１を機体１に回転可能に支持している。
【００２５】
そしてこのボールネジ９１には、光入力部８４を支持するための支持体８５を螺着し、この支持体８５に光入力部８４を組み付けることで、ボールネジ１２の回転により、支持体８５を介して光入力部８４をボールネジ９１の軸方向、換言すれば、ライン露光ヘッド３２に沿って移動するように成し、ライン露光ヘッド３２からの出射光を光入力部８４を介して光ファイバー８３に導くと共に、光ファイバー８３を介して光量測定装置８の測定部８２に導入するようにしている。
【００２６】
以上のボールネジ９１は、その一端部に第１プーリー９２を取り付けて、この第１プーリー９２と、駆動モータ９３の駆動軸に設けた第２プーリー９４とにベルト９５を掛け渡して、駆動モータ９３の駆動により回転するように成し、駆動モータ９３はコントローラー６の制御により駆動するようにしている。
【００２７】
次に以上の画像処理装置において、光量測定装置８でライン露光ヘッド３２の出射光の光量を測定する場合には、コントローラ６を介して駆動モータ９３を駆動させるのであって、この駆動モータ９３の駆動により、ボールネジ９１が回転し、これに伴い、光ファイバー８３の先端部に設けた光入力部８４が、露光装置３のライン露光ヘッド３２に沿って移動しながらこのライン露光ヘッド３２からの出射光を受光するのである。
【００２８】
そして光入力部８４が受光したライン露光ヘッド３２の出射光は、光ファイバー８２を介してフォトマル８１に入力し、出射光の光量の測定が行なわれるのである。
【００２９】
斯くして以上の画像処理装置では、露光位置用搬送機構７の露光用第１搬送ローラー対７ａと露光用第２搬送ローラー対７ｂとの間にボールネジ９１を配置して、このボールネジ９１に螺着した支持体８５に光ファイバー８３に設けた光入力部８４を組み付けるようにしているので、従来のように露光位置搬送機構７をライン露光ヘッド３２に対して離間させなくても、ライン露光ヘッド３２からの出射光の光量の測定を行うことが出来るのである。
【００３０】
従って、ライン露光ヘッド３２からの出射光の測定の作業性を向上できるのは勿論のこと、従来のように露光位置用搬送機構７をライン露光ヘッド３２に対して移動させるための機構を設ける必要がなくなるので、装置全体の重量も軽くなるし、装置の製造コストを安価とすることが出来るし、またバンディングの発生や画像光のユニフォーミティの低下なども解消することが出来る。
【図面の簡単な説明】
【００３１】
【図１】画像処理装置の構成図。
【図２】同、要部の側面図。
【図３】同、要部を拡大して示す説明図。
【図４】同、要部を拡大して示す説明図。
【符号の説明】
【００３２】
１      機体
３      露光装置
３２    ライン露光ヘッド
５      感光材料搬送装置
６      コントローラ
７      露光位置用搬送機構
８      光量測定装置
８２    測定部
８３    光ファイバー
８４    光入力部
９      移動装置
【図１】
2005262534.tif 000003
【図２】
2005262534.tif 000004
【図３】
2005262534.tif 000005
【図４】
2005262534.tif 000006